(57)【特許請求の範囲】
【請求項１】
矩形板と該矩形板を支える３本の脚とからなる画台であって、
前記３本の脚は基幹部、伸縮部及び該伸縮部の長さの調節をするストッパとを具え、
前記３本の脚の内の２本の脚は前記矩形板の一方の長辺の両端に位置し、前記３本の脚のうち他の１本の脚は前記矩形板の他方の長辺の中央に位置して、
前記２本の脚の基幹部の根元部には横板が固着され、
前記２本の脚及び前記横板は前記矩形板の方向に折り畳み可能であり
前記他の１本の脚は前記矩形板方向に折り畳み可能である
ことを特徴とする水彩画用画台。
【請求項２】
前記横板は前記矩形板に蝶番を介して接続し、前記横板の下辺の略中央と前記矩形板の下面の略中心部とは脱着可能な第１筋交いを介して連結され、
前記他の１本の脚の基幹部のストッパ側と前記矩形板の裏面の略中心部とは脱着可能な第２筋交いを介して連結され、
前記第１筋交いと前記第２筋交いとは交差し、
前記他の１本の脚は前記矩形板に蝶番を介して接続し、該他の１本の脚の左右に固定型筋交いが、前記他の１本の脚の基幹部のストッパ側と前記他方の長辺の両端とを蝶番を介して連結している、
ことを特徴とする請求項１に記載の水彩画用画台。
【請求項３】
前記第１筋交いの両端には螺子部が形成され、そのいずれか一方が逆螺子であり、前記第２筋交いの両端は着脱自在に固着され、その中間部にターンバックルが介挿されている、
ことを特徴とする請求項２に記載の水彩画用画台。
【発明の詳細な説明】
【技術分野】
【０００１】  本発明は野外写生向きの３脚方式の水彩画用画台に関するものである。
【背景技術】
【０００２】  絵を描く場合、作画者としては、画台の四隅が接地面をしっかり捉え、上下動、前後、横揺れ、接続部間の隙間からくるガタツキがなく、安定していることを要求する。特に水彩画は、多くの人が初めは鉛筆等で輪郭を描くなど筆圧を伴う作業をする。この段階では勾配のある方が画用紙と視線が直角に近い関係になり、ときどき絵の全体を見渡して出来具合を座ったまま観察することが可能になり便利である。この作業をほぼ終えてから画台を水平にして絵具を塗れば色が流れ出ない。水彩画の場合、色が流れ出ると修正が利かないため、完成しても価値が無くなってしまう。【０００３】  ところが実態はスケッチブックを座って膝に置いたり、不安定、不具合を感じながら作業をする。作画が終わるころには安定を望みながらも疲労のためスケッチブックや道具類を地面に直接置いてしまう。既に写真用の３脚を使用した画台が公開されているが（例えば特許文献１参照）、四隅が安定させ、ゆとりを持って描くまでには至っていない。また画台の板の端に紐が着けられ首に懸けて写生する方法もあるが動きが制約され、長時間の作業には不向きである。
【先行技術文献】
【特許文献】
【０００４】
【特許文献１】特開２０１０−７５６６５号公報
【発明の概要】
【発明が解決しようとする課題】
【０００５】  本発明は以上のような課題を解決するためになされたものであり、四隅の上下動や部品間の隙間によるガタツキが無く、観光客の多い通路や山道等でも簡便に設置でき、画用紙を置く矩形板の傾斜角度を容易に調整できて、長時間絵を描いていても疲れない水彩画用画台を実現することを目的とする。
【課題を解決するための手段】
【０００６】  本発明は上記課題を解決するために、請求項１に係る水彩画用画台は矩形板と該矩形板を支える３本の脚とからなる画台であって、前記３本の脚は基幹部、伸縮部及び該伸縮部の長さの調節をするストッパとを具え、前記３本の脚の内の２本の脚は前記矩形板の一方の長辺の両端に位置し、前記３本の脚のうち他の１本の脚は前記矩形板の他方の長辺の中央に位置して、前記２本の脚の基幹部の根元部には横板が固着され、前記２本の脚及び前記横板は前記矩形板の方向に折り畳み可能であり、前記他の１本の脚は前記矩形板方向に折り畳み可能であることを特徴としている。【０００７】  そして請求項２に係る水彩画用画台は請求項１に記載の水彩画用画台であって前記横板は前記矩形板に蝶番を介して接続し、前記横板の下辺の略中央と前記矩形板の下面の略中心部とは脱着可能な第１筋交いを介して連結され、前記他の１本の脚の基幹部のストッパ側と前記矩形板の裏面の略中心部とは脱着可能な第２筋交いを介して連結され、前記第１筋交いと前記第２筋交いとは交差し、前記他の１本の脚は前記矩形板に蝶番を介して接続し、該他の１本の脚の左右に固定型筋交いが、前記他の１本の脚の基幹部のストッパ側と前記他方の長辺の両端とを蝶番を介して連結している、ことを特徴としている。【０００８】  そして請求項３に係る水彩画用画台は、請求項２に記載の水彩画用画台であって、前記第１筋交いの両端には螺子部が形成され、そのいずれか一方が逆螺子であり、前記第２筋交いの両端は着脱自在に固着され、その中間部にはターンバックルが介挿されていることを特徴としている。
【発明の効果】
【０００９】  本発明は以上説明したように構成されているので、以下に記載されるような効果を奏する。【００１０】（ア）３本の脚は根元部が離間し、かつ伸縮可能なため接地面の凹凸に対応力があり上下の揺れに強い。２本の脚を横板に固定し、横板は矩形板の長辺に蝶番を介して結合してある。横板は矩形板の裏面において、一本の筋交いに結ばれて立つので、２つの隅の前後、左右の揺れを防ぐことができる。他方の長辺の中央に位置する他の一本の脚は他の筋交いにより２つの隅を支え、矩形板の裏面とは更に別の筋交いで結ばれて立つので、前後、左右の揺れを防ぐことができる。
（イ）立ち上がった３本の脚は筋交いの螺子により締め付けているので、部材相互の隙間によるガタつきが無くなる。そのいずれか一方が逆螺子であり、螺子部が形成され、一方向の回転で螺子の双方は締まり又緩むので作業が簡単で早い。長時間安心して、集中力を維持し作業ができる。【００１１】（ウ）矩形板は第２筋交いに着けられた１回転の伸縮差が大きいターンバックルを回転することで、揺れの無い水平面が容易に迅速に作れる。更に水彩画用画台の重心を崩さないバランスの良い緩い勾配面を作ることもできる。この設計により作画中に立ったり、座ったりの疲労を生む動作は不必要になる。
（エ）組み立ても簡単で、軽量の材料を使用しているので、旅行や移動も苦にならない。矩形板は離間した伸縮可能３本の脚の長さを調整することにより画用紙を縦にしても絵を描くことができる。
【図面の簡単な説明】
【００１２】
【図１】図１は本発明の実施形態を示す水彩画用画台の下からの斜視図である。
【図２】図２は同矩形板表面上からの斜視図である。
【図３】図３は同基幹部、伸縮部、ストッパと伸縮部の接地面に付けたゴムキャップからなる３本の脚の構造図である。
【図４】図４は同画台裏面の開脚時における第１筋交いと第２筋交いを外した構造図である。
【図５】図５は同２本の脚及び横板は前記矩形板の方向に折り畳まれた状態になり、蝶番を介して矩形板に螺着する方法の図である。
【図６】図６（ａ）は同他の１本の脚の支持部とその両側面に着ける固定型筋交いの取り付けの斜視図で，（ｂ）はＲ部図の詳細図で、（ｃ）は（ｂ）のＳ部を組み立てる作業順を示した図で、（ｄ）はｃ）のＴ部を組み立てた仕上がり図である。
【図７】図７は同脱着用の第１筋交いと筋交い受けの構造図である。
【図８】図８は同脱着用第２筋交いに使用するターンバックルの特徴及び筋交い受けの図である。
【図９】図９は矩形板に直接２脚を連絡する場合の量産する場合の例を示す図である。
【発明を実施するための形態】
【００１３】  以下、本発明の実施の形態を図１〜図９に基づき説明する。
【００１４】  図１は水彩画用画台１を下から見た斜視図である。水彩以画用画台１の表面になる矩形板１００の大きさは画用紙に号数規格があり、野外で画台を使い写生する場合は６、８、１０号が適している。矩形板１００は厚さ４−１０ｍｍの耐水性の合板を使用するが、材質はアルミ、チタン、合成樹脂系のＣＳＲＰ、ＧＳＲＰ材でも良い。特に捻じれに強い材質を必要とする。絵を描く人は高齢者や婦人が多く、出来るだけ比重の軽い材料が好ましい。
【００１５】  伸縮可能な３本の脚３０Ａ、３０Ｂ、３０Ｃは矩形板１００の四隅を下面から支える。
３本の脚のうちの２本は横板２の長辺の両端に矩形板１００の両短辺より左右とも５ｍｍ離して、その基幹部３０ａ、３０ｂを平行に並べて根元部を固着する。他の１本の脚は矩形板１００の他方の長辺の中央に位置している。この長辺の両端は他の１本の脚３０Ｃの基幹部３０ｃとの間に着けた固定型筋交い１１ａ、１１ｂにより支えられる。
【００１６】  図２の通り、桟５ａは矩形板１００の一方の長辺の裏面の縁に両端まで貼着する。桟５ｂは他方の長辺の裏面に同様に縁に沿い貼着する。
なを、桟５ａは横板２を矩形板１００の裏面に収納するため図１及び図５の横板２の厚さより若干厚いものを使用し、幅は１５ｍｍ程度にする。この桟５ａは後述の図５にあるように横板２と蝶番４ａ、４ｂ、４ｃを介して結ばれる部材になり図１の通り重量がかかる部位である。
また、矩形板１００と桟５ｂが貼着された表面部分は画用紙が作画中或いは保管中に滑り落ちないように矩形板１００の表面に内側に向かって縁を斜めに削り落とし薄い板２４を表面側に突出し、削り落とした斜面に沿って両端まで貼着しておく。
【００１７】  図３の通り、３本の脚３０Ａ、３０Ｂ、３０Ｃは基幹部３０ａ、３０ｂ、３０ｃ、伸縮部３０ａ’、３０ｂ’、３０ｃ’と伸縮部の長さを調整する螺子状のストッパ３１、３１、３１からなる。
伸縮部３０ａ’、３０ｂ’、３０ｃ’の接地面側の先端にゴムキャップ３２、３２、３２を着けてもよい。
【００１８】  図４は矩形板１００の下を（筋交い６０、筋交い９０を外して）開脚した全体図である。３本の脚３０Ａ、３０Ｂ、３０Ｃの内の２本の脚３０Ａと３０Ｂの基幹部３０ａ、３０ｂ  はその根元を矩形の横板２の両端、外側に略平行に並べ矩形板１００の側から見て左側はＬ字型に右側は逆Ｌ字型にして矩形板１００の両短辺から若干離して結合する。横板２の材質は木製、アルミ、チタン、合成樹脂系のＣＳＲＰ、ＧＳＲＰ材でも良い。特に捻じれに強い材質で作る。幅は７０ｍｍとする。
【００１９】  図５は２本の脚及び横板が前記矩形板の方向に折り畳まれた状態になり蝶番を介して矩形板に螺着する方法の図である。横板２は２本の脚が付いた側の外側、かつ、２本の脚が付けられた反対側の面を矩形板１００裏面と合わせて桟５ａにバネ付蝶番４ａ  ４ｂ  ４ｃにより結合する。
この他に、矩形板１００と横板２とを連結する手段として軸着する手段等がある。
【００２０】  図６（ａ）は他の一本の脚の構造図である。３本の脚３０Ａ、３０Ｂ、３０Ｃのうちの他の一本の脚（以下、１本脚ともいう）３０Ｃの脚の支持板１０は、矩形板１００の横板２が連結している長辺に対向する長辺に着ける。
支持板１０はアルミ等軽量な材料により２等辺三角形を作り底辺の両端を切り取り５角形にする。この切り取られた底辺の両端にバネ付蝶番４ｅ、４ｆを結合する。１本脚３０Ｃは支持板１０の中央に前記三角形の底辺と直角にして脚の支持板１０の上に結合する。蝶番４ｅ、４ｆは１本脚３０Ｃが矩形板１００の裏面に立ちあがり、かつ収納時に矩形板１００方向に折り畳み可能になるよう蝶番を並べ結合する。
他の１本の脚の３０Ｃは固定型筋交い１１ａ，１１ｂ  によって結合されている長辺の両端部を下から支える。また該他の１本の脚３０Ｃは脱着用筋交い９０により補強されている。
【００２１】  図６（ａ）の通り、他の１本の脚は他方の長辺の中央に位置されて、矩形板１００を下から支える構造になる。図（ｂ）、（ｃ）、（ｄ）はその組み立て方及び完成図である。固定型筋交い１１ａ、１１ｂに使用する材料は軽量のアルミやチタン材で直径１０ｍｍ程度の中空管で作る。
【００２２】  別な設置法として、固定型筋交い受け１１ａ、１１ｂ  を作らず、アルミ板等を使い底辺を矩形板１００の長辺の両端に略あわせた２等辺三角形を形成し、蝶番４ｄ、４ｇを介し、脚３０Ｃの根元を三角形の頂点部に置き、底辺に対し垂直に並べ、強度に影響しない部分は切除して結合することもできる。
【００２３】  図７は矩形板１００の裏面において第１筋交い６０の両端の首部１４，１５と筋交い受け６ａ、６ｂを示す図である。第１筋交い６０の両端には螺子部が形成され、横板２と矩形板１００とは第１筋交い６０により螺着され、第１筋交いの両端はいずれか一方が逆螺子である螺子部が形成されている。従って、これにより筋交い受け６ａ、６ｂに第一筋交い６０の螺子部の回転方向を合わせると片方の回転作業で脚３０Ａ、３０Ｂは立ちあがる。すなわち、図１に示すように、この第１筋交い６０を右回転させることにより前記２脚３０Ａ、３０Ｂを結合している前記横板２と矩形板１００の下面とを結びつける。これにより矩形板１００の揺れ、ガタつきはなくなる。
【００２４】  他に第１筋交い６０の両端の首部１４，１５（図７）を普通回転螺子にして筋交い受け６ｂを角度調整部とし、筋交い受け６ａはナットを着けず係止穴のみにし、雄螺子を係止穴に通し雌蝶螺子を螺着し固定、或いは解除する方法もある。
【００２５】  図８はターンバックル４０付の第２筋交い９０の構造図である。第２筋交い６０の両端には係止穴４１，４２があり、係止穴４１には環状マグネット４３が貼着してある。両筋交い受け９ｂ、及び９ａには突出部がある。これにより第２筋交い９０は着脱自在であって、その中間部にはターンバックルが介挿されている。
【００２６】  ターンバックル４０は両端に右回りと左回りの螺子部がある部材で第２筋交い９０の途中に接続する。筋交いに着けて回転させると両端が伸びたり、反転すると縮むようになっている。伸縮差が大きい建材の一種である。矩形板１００に勾配を作る際には便利な部材である。
ターンバックルの伸縮部を電動モーターにすると矩形板１００の勾配面の上下作動を素早くでき便利になる。
なを、第２筋交いの筋交い受け９ａ、９ｂは突出部に蝶螺子５０を嵌められるように用意しておくと作画時に接合部の動きが押さえられ矩形板１００は安定する。
【００２７】  突出部がある第２筋交い９０の筋交い受け９ｂは、矩形板１００の裏面で、他の一本の脚３０Ｃの根元部から対向する長辺に向い、矩形板１００の略中央で収納時に他の部材と接触しない位置に貼着する。第２筋交い９０の係止穴の一端部４１は第２筋交い受け９ｂの突出部４３に差し込む。片端部４２は他の一本脚３０Ｃにある９ａに差し込む。これによって他の一本の脚３０Ｃは立ちあがる。
【００２８】  図４及び図６（ａ）の通り他の一本の脚３０Ｃは２本の脚が横板２に螺着された他方の長辺の中央に設置され、この脚から斜めに延びる固定型筋交い１１ａ、１１ｂにより矩形板１００裏の桟５ｂの両端を支える。
【００２９】  組み立て方と収納については図４の横板２にある筋交い受け６ａと矩形板１００の裏面に設けた筋交い受け６ｂとの間を図７の第一筋交い６０により結び、横板２が矩形板１００の裏面との角度を略９５から１１０度の間になるように筋交い６０を回転させ立たせる。
【００３０】  また、図６（ａ）の通り、他の一本の脚３０Ｃは３０ｃのストッパ側にある筋交い受け９ａと矩形板１００裏面にある筋交い受け９ｂとを図８の通りターンバックル４０付の第２筋交い９０で結ぶ。他の一本の脚３０Ｃが立ち上がり、矩形板１００は立ちあがる。
【００３１】  矩形板１００は水平から約２０度まで勾配をつけることも可能である。そのために１本脚３０Ｃの伸縮部３０ｃ’を短縮する。第２筋交い９０のターンバックル４０を右回転し、第一筋交い９０を伸長して脚３０Ｃを接地面から垂直の関係になるように補正すると水彩画用画台１は安定する。
【００３２】  ３本の脚３０Ａ、３０Ｂ，３０Ｃは写真用の小型３脚を３本の脚に分解し、根元部を加工して利用する方法を選ぶことも考えられる。
矩形板１００は縦にしても斜面を作ることは可能で、また前方の脚３０Ａ、３０Ｂ２本を作画者の手許に回しても脚３０Ａ、３０Ｂ、３０Ｃそして第２筋交い９０を調整することで、全方向使用可能の水彩画用画台になる。
【００３３】  図９は矩形板１００に脚３０Ａ，３０Ｂを繋なぐ金具を特別に作り装着した場合で、横板２を矩形板１００からやや着地点側に下げた図である。この場合も筋交い受け６ａと６ｂを第１筋交い６０によって連結し横板２と矩形板１００が略９５度を保ち、連絡していれば問題はない。また、矩形板１００と横板２との間に渡される筋交い６０の関係は寧ろ強まる。何れにしても横板２の材質が捻じれに強いことが必要である。
【実施例】
【００３４】  図１の通り、画用紙の大きさは風景画の写生に適した大きさで、矩形板１００の強度から考え、画材店にある規定の寸法の８号Ｐを想定している。ここでは矩形板１００は長辺４６５ｍｍ、短辺３４０ｍｍ、厚さ５．５ｍｍの耐水性の合板を使用する。３本の脚は最収縮時約２８０ｍｍ、最伸長時４５０ｍｍの伸縮自在の脚３０Ａ、３０Ｂ、３０Ｃを用意する。この例では油絵用の木製のイーゼルの３脚を分解して使う。【００３５】  図２の通り桟５ａは矩形板１００の一方の長辺の裏面の縁に両端まで貼着する。桟５ｂは他方の長辺の裏面に同様に縁に沿い貼着する。
なを、桟５ａは図１の横板２の厚さより１ｍｍ厚いものを使用し、幅は１５ｍｍにする。
また、表面に矩形板１００と桟５ｂが貼着された部分は画用紙が作画中或いは保管中に滑り落ちないように矩形板１００の表面の内側に向かって角を斜めに切り落とし薄い板２４を表面側に８ｍｍ突出し、切り落とした斜面に沿って両端まで貼着しておく。【００３６】  図４の通り、３本の脚のうちの２本３０Ａ、３０Ｂは長さ５３０ｍｍ、幅５０ｍｍ、厚さ１２ｍｍの木製の矩形状の横板２を作り、その横板２の両端に４６５ｍｍ、または矩形板１００の長辺より５ｍｍ離して平行に並べる。根元部を横板２の両端に矩形板１００の方から見てＬ字と逆Ｌ字に重ね合わせ螺接する。螺接後２脚の外側に出た横板２のはみ出し部は切り取る。
矩形板１００の一方の長辺の裏面の縁には桟５ａを貼着する。同様に対向する長辺の下には桟５ｂを辺に沿って貼着する。但し桟５ａの厚さは収納の関係から横板２の厚みに１ｍｍ加えた厚さにする。この実施例ではバネ付蝶番を使用している。また、横板２が捻じれに強い部材なら蝶番４ｂは使ない。例えば今回使用した厚さ１２ｍｍの木製の横板２では使用していない。【００３７】  図５の通り、２本の脚及び横板は前記矩形板の方向に折り畳まれた状態になり、蝶番を介して矩形板に螺着する方法の図である。横板２は基幹部３０ａ、３０ｂが螺着しているＬ字型、逆Ｌ字型の底辺を桟５ａに平行に側並べる。回転軸を上にしたバネ付蝶番４ａ、４ｂ、４ｃは横板２と矩形板１００とを結合する。【００３８】  図７の第一筋交い受け６ａは長さ４０ｍｍ、幅１５ｍｍ、厚さ１ｍｍの鉄板を作り、片端部に直径６ｍｍの係止穴を空け、直径５ｍｍの普通回転ナット（図示せず）を溶接して作る。横板２の略中央の蝶番４ｂの点に対向する横板２の接地面側の辺に、筋交い受け６ａの先を横板２から１５ｍｍ出して横板２結合する。【００３９】  図７の通り、第１筋交い６０は長さ２２０ｍｍで筋交い受け６ａに一端部１４を結合し、片端部１５は逆螺子である第１筋交い受け６ｂ部を仮づけして螺子を最深部まで結合しておく。第１筋交い６０は蝶番４ｂ点が対向する矩形板１００の長辺側に向かった垂線上に第１筋交いを沿わせ、２脚３０Ａ、３０Ｂが螺着されている横板２を立たせる。第１筋交い６０の両端の螺子部を筋交い受け６ａ、６ｂに最も深く差し込んだ状態で矩形板１００の裏面と横板２の角度が９５度の関係になっている場所で他の部材と接触しない所を筋交い受け６ｂの設置点として矩形板１００の裏面に貼着し固定する。【００４０】  図４の通り、３本の脚のうち他の１本の脚は前記矩形板の他方の長辺の中央に位置し、この脚から延びる固定型筋交い１１ａ、１１ｂ  より矩形板１００の桟５ｂの両端を支える。
図６の（ａ）の通り、一本の脚の製作と結合は厚さ１ｍｍのアルミ板１０用意し、高さ１００ｍｍ、幅２０ｍｍの略直角２等辺三角形を作り、底辺の両端を１５ｍｍ切り取り五角形にする。１本の脚３０Ｃの基幹部３０ｃは根元を底辺の中心線上に底辺に対し直角にして底辺から２０ｍｍ離して結合する。この場合３０Ｃとアルミ板１０との接合部にはナットを一つ入れておく。３０Ｃの表面には螺子の頭が全く出ないようにする。他の１本の脚３０Ｃが収縮する際にアルミ板１０と基幹部３０ｃの間を伸縮脚３０ｃ’のストッパ部材が通過するからである。また底辺の両端にはバネ付蝶番４ｅ、４ｆをつけ桟５ｂと連結する。その際蝶番４ｅ、４ｆ  は一本脚３０Ｃが矩形板１００の裏面に折り畳めるように置く。【００４１】  図６（ａ）は他の１本の脚３０Ｃを矩形板１００の桟５ｂに固定型筋交いを取り付け、第２筋交い９０によって矩形板１００の裏面から支える仕組みを示している。固定型筋交い１１ａ、１１ｂ  の材料は軽量のアルミ材で直径１０ｍｍ程度の中空管で作る。固定型筋交い１１ａ、１１ｂの一端部３４は縦、他端部３４’は縦に対し９０度の角度で横にし、１５ｍｍの長さをとって潰し、図６の（ｄ）の通り、継ぎ板部３６を作る。
図６（ｂ）は図６（ａ）のＲ部にある他の１本の脚に付ける固定型筋交い１１ａ、１１ｂと第２筋交い９０の関係を示す説明図である。【００４２】  図６（ｃ）は図６（ｂ）のＳ部を拡大した作業行程の説明図である。２本の固定型筋交い１１ｂ、１１ａの一端部である両係止穴３４’は基幹部３０ｃのストッパ３１側の近くに空けられた係止穴３３に当てがう。ボルト９ａは固定型筋交い１１ｂ側から係止穴３４’、係止穴３３、係止穴３４’の順に固定型筋交い１１ａ側に向けて貫通し、図６（ｃ）の作業結果を示すＴ部の説明図６（ｄ）の通り、固定型筋交い１１ａ側からナット３５で留める。図６（ｃ）にある環状マグネット４３は図６（ｄ）のナット３５を囲み継ぎ板部３６に貼着する。ボルト９ａは環状マグネット４３を貼着した後、突出部を１０ｍｍ以上出るようにして、第２筋交い９０の筋交い受け９ａとする。【００４３】  図６（ｄ）の通り、固定型筋交い１１ａ，１１ｂの片端部の係止穴３４’３４’には蝶番４ｄ、４ｇを仮づけしておく。他の１本の脚の３０Ｃは矩形板１００の裏面の長辺に対し直角になるように調整して蝶番４ｄ，４ｅ、４ｆ、４ｇを介し桟５ｂに結合する。ここに使用される蝶番４ｄ，４ｇは極小型でバネの無いものを使用する。蝶番４ｄ，４ｅ、４ｆ、４ｇは脚が収納時に矩形板１００の裏面内側に倒れるように敷設する。【００４４】  図８の通り、第２筋交い９０と筋交い受け９ａ、９ｂは他の一本の脚３０Ｃを支える。第２筋交い９０は中央にターンバックル４０を介挿し、両端には長さ３０ｍｍ、幅８ｍｍ、厚さ１ｍｍの鉄製の帯を結合して作る。一端部に直径３ｍｍの係止穴４１を空け、片端部に係止穴４２を同様に空ける。係止穴４１には環状マグネット４３を貼着する。両筋交い受け９ｂ、及び９ａには突出部がある。他端部にはターンバックル４０を最短状態にして係止穴４１と４２との間隔は全長３２０ｍｍとする。なを、両筋交い受け９ｂ、及び９ａの突出部は第２筋交いを介挿した場合は蝶螺子で締めておくと揺れがなくなる。【００４５】  係止穴４１と筋交い受け９ｂを仮づけする。他端部の係止穴４２は第２筋交い９０の筋交い受け９ａに配接し、矩形板１００の両長辺の中央を結ぶ線上に沿って、他の１本の脚３０Ｃを立ちあげて矩形板１００裏面との角度が９０度の関係になったところを筋交い受け９ｂの設置点として貼着し固定する。【００４６】  矩形板１００を前方に迫り上げて勾配を作るためには、他の１本の脚３０Ｃのストッパ３１を緩めて伸縮部３０ｃ’を脚内に押し込むが、この場合勾配が約２０度上がるので、他の一本の脚３０Ｃが矩形板１００の裏面の内側に２０度入り込む。この場合矩形板１００の重心が作画者の方に移り水彩画用画台２００が不安定になる。そこで図８の通り第２筋交い９０のターンバックル４０を右回転して伸ばし脚３０Ｃを着地面に対し垂直にして矩形板１００を安定させることが必要である。【００４７】  作業行程全体において使用する糊は双方が木の場合は木工用ボンドを使う。一方が金属である場合はエポキシ系ボンドを使用する。場所によっては強力な両面テープも使用する。筋交い受け等を矩形板に接合する場合は螺子などを直接差し込まずに必ず薄い合板の小片に螺子で固定してからその小片を矩形板に接合する。表面に螺子の先が出て、作画に支障のないように注意しなければならない。【００４８】  水彩画用画台２００を屋外、室内で使用する場合は図４の横板２に着けられた筋交い受け６ａと矩形板１００の裏面の筋交い受け６ｂはいずれか一方が逆螺子である螺子部が形成されているので、両端の筋交い受けの回転方向も合わせてあてがい右に回すと締まり固定する。
他の一本の脚３０Ｃは図４及び図８にある通り３０ｃのストッパ側の突出部筋交い受け９ａに第２筋交い９０の係止穴４２を配接し、矩形板１００の裏面の筋交い受け９ｂ  に係止穴４１を配接する。３本の脚の長さを略揃えることで矩形板１００は水平になる。【００４９】  矩形板１００を作画者方向に下がり勾配をつけ座ったまま対象物と自分のスケッチを見比べるためには他の１本の脚３０Ｃの伸縮部３０ｃ’を基幹部３０ｃ内側に押し込む。但し他の１本の脚３０Ｃは接地面に垂直に保つ必要があるため、第２筋交い９０に着けられたターンバックル４０を右回転させて伸ばす。作画が終わると第１筋交い６０および第２筋交い９０を外して３本の脚３０Ａ、３０Ｂ、３０Ｃは矩形板１００の裏面に収納できる。
【符号の説明】
【００５０】１        水彩画用画台
２        横板
４        蝶番  ａ，蝶番  ｂ，蝶番  ｃ，蝶番ｄ，  蝶番ｅ
５ａ      桟
５ｂ      桟
６ａ      筋交い受け
６ｂ      筋交い受け
９ａ      マグネット付突出筋交い受け
９ａ’    環状マグネットの係止穴
９ｂ      マグネット付突出筋交い受け
１０      他の１本の脚３０Ｃの基幹部の支持板
１１ａ    他の一本の脚の脇につけられる固定型筋交い
１１ｂ    他の一本の脚の脇につけられる固定型筋交い
１４      第１筋交い接続用右螺子
１５      第１筋交い接続用左螺子
２４      画用紙滑り止め薄板
３０Ａ    ３本の脚の内の２本の１本目
３０Ｂ    ３本の脚の内の２本の２本目
３０ａ    横板に結合される脚３０Ａの基幹部
３０ｂ    横板に結合される脚３０Ｂの基幹部
３０ｃ    他の１本の脚３０Ｃの基幹部
３０ａ’  横板に結合される脚３０Ａの伸縮部
３０ｂ’  横板に結合される脚３０Ｂの伸縮部
３０ｃ’  他の１本の脚３０Ｃの伸縮部
３１      基幹部３０ａ、基幹部３０ｂ、基幹部３０ｃのストッパまたは留めネジ
３２      基幹部３０ａ’、基幹部３０ｂ’、基幹部３０ｃ’のゴムキャップ
３３      係止穴
３４’    継ぎ板部の係止穴
３６      継ぎ板部
４０      ターンバックル
４１      係止穴
４２      係止穴
４３      環状マグネット
６０      脱着用第１筋交い
９０      脱着用第２筋交い
１００    矩形板
１２０    矩形板と横板とを結ぶ量産用の接合部品
【要約】
【課題】水彩画を描く場合は線を描くことが多く、強い筆圧に耐えられる画台、更に絵具が流れないような水平面、座ったまま絵全体が見渡せる緩斜面がつくれて、更に軽いことが条件になる水彩画用画台を提供する。
【解決手段】  矩形板の四隅とそれを支える３本の脚は基幹部、伸縮部とストッパにより長さの調節が可能で、２本の脚は根元が横板に固着され、横板は蝶番により矩形板の長辺に連絡し、その辺全体を下から支える。他の１本の脚は他方の長辺の中央に位置している固定型筋交いでその長辺を下から支える。
【選択図】図１【図１】
0004793671.tif 000002
【図２】
0004793671.tif 000003
【図３】
0004793671.tif 000004
【図４】
0004793671.tif 000005
【図５】
0004793671.tif 000006
【図６】
0004793671.tif 000007
【図７】
0004793671.tif 000008
【図８】
0004793671.tif 000009
【図９】
0004793671.tif 000010